(57)【特許請求の範囲】
【請求項１】
液晶パネルを駆動する液晶駆動装置であって、
Ｓ（Ｓは２以上の自然数）ライン同時選択駆動法により前記液晶パネルを駆動する駆動部と、
前記駆動部による前記液晶パネルの駆動信号をｎ（ｎは自然数）ライン毎に極性反転制御を行う極性反転制御部とを含み、
Ｗ（Ｗは自然数）フレーム内の１又は複数のタイミングで、前記駆動信号の極性反転期間をＰ（Ｐは自然数）水平走査期間だけ増加又は減少させ、
前記極性反転制御の極性は、第１レベルと第２レベルとを含み、
前記Ｓライン同時選択駆動法は、１フレームを分割した複数のフィールドで駆動し、
前記複数のフィールドのそれぞれのフィールドについて、前記第１レベルの極性期間と前記第２レベルの極性期間とがＷフレームの周期期間内において等しくなることを特徴とする液晶駆動装置。
【請求項２】
液晶パネルを駆動する液晶駆動装置であって、
Ｓ（Ｓは２以上の自然数）ライン同時選択駆動法により前記液晶パネルを駆動する駆動部と、
前記駆動部による前記液晶パネルの駆動信号をｎ（ｎは自然数）ライン毎に極性反転制御を行う極性反転制御部とを含み、
Ｗ（Ｗは自然数）フレーム内の１又は複数のタイミングで、前記駆動信号の極性反転期間をＰ（Ｐは自然数）水平走査期間だけ増加又は減少させ、
前記極性反転制御部は、
ｎライン反転駆動により極性を反転させるライン数をカウントする極性反転ライン数カウンターを含み、
前記極性反転ライン数カウンターは、
Ｗフレーム内の１又は複数のタイミングで、カウント値をＰだけ増加又は減少させることを特徴とする液晶駆動装置。
【請求項３】
請求項１又は２において、
Ｐは、奇数であることを特徴とする液晶駆動装置。
【請求項４】
請求項１乃至３のいずれかにおいて、
Ｐは、１であることを特徴とする液晶駆動装置。
【請求項５】
請求項１乃至４のいずれか記載の液晶駆動装置と、
前記液晶駆動装置によって駆動される前記液晶パネルとを含むことを特徴とする液晶装置。
【請求項６】
請求項１乃至４のいずれか記載の液晶駆動装置を含むことを特徴とする電子機器。
【請求項７】
請求項５記載の液晶装置を含むことを特徴とする電子機器。
【請求項８】
Ｓ（Ｓは２以上の自然数）ライン同時選択駆動法により液晶パネルを駆動する液晶駆動方法であって、
前記液晶パネルの駆動信号をｎ（ｎは自然数）ライン毎に極性反転制御を行う極性反転制御ステップと、
前記極性反転制御ステップにおいて極性反転制御された駆動信号を用いて前記液晶パネルを駆動する駆動ステップと、を含み、
前記極性反転制御ステップは、
Ｗ（Ｗは自然数）フレーム内の１又は複数のタイミングで、前記駆動信号の極性反転期間をＰ（Ｐは自然数）水平走査期間だけ増加又は減少させ、
前記極性反転制御の極性は、第１レベルと第２レベルとを含み、
前記Ｓライン同時選択駆動法は、
１フレームを分割した複数のフィールドで駆動し、
前記複数のフィールドのそれぞれのフィールドについて、前記第１レベルの極性期間と前記第２レベルの極性期間とがＷフレームの周期期間内において等しくなることを特徴とする液晶駆動方法。
【請求項９】
請求項８において、
Ｐは、奇数であることを特徴とする液晶駆動方法。
【請求項１０】
請求項８又は９において、
Ｐは、１であることを特徴とする液晶駆動方法。
【発明の詳細な説明】
【技術分野】
【０００１】
本発明は、液晶駆動装置、液晶装置、電子機器、及び液晶駆動方法等に関し、特に複数ラインを同時選択する同時選択駆動法により液晶パネルを駆動する液晶駆動装置等に関する。
【背景技術】
【０００２】
従来、この種の液晶パネルは、複数のコモン電極と、複数のコモン電極に交差するように設けられた複数のセグメント電極とを備えており、各コモン電極と各セグメント電極との交差位置に対応して画素が形成される。液晶パネルを駆動する液晶駆動装置は、液晶パネルの複数のコモン電極及び複数のセグメント電極を所定の液晶駆動方法に従って駆動することで、液晶パネルに画像を表示する。液晶パネルを駆動する場合、画素に同一極性の電圧を印加し続けると焼き付けが発生するため、一般的に、液晶駆動装置は、画素に印加される電圧の極性を周期的に反転して交流化する極性反転駆動を行う。
【０００３】
この極性反転駆動として１フレーム毎に極性反転するフレーム反転駆動が知られている。ところが、液晶パネルのセグメント電極に応じて出力周波数が異なってクロストーク等の原因となることがあり、より短い時間間隔で極性反転することを目的として、ｎライン毎に極性反転を行うｎライン反転駆動が行われる場合がある。
【０００４】
このような極性反転駆動に関する技術については、例えば特許文献１に開示されている。この特許文献１には、４ライン同時選択駆動法において、１フレーム（１フレーム期間）を分割した複数のフィールド各々に１水平走査期間分をダミー期間として追加する技術が開示されている。これにより、サブグループ数を奇数にして、極性反転駆動の効果を得るようにしている。
【先行技術文献】
【特許文献】
【０００５】
【特許文献１】特開平８−１６０９１９号公報
【発明の概要】
【発明が解決しようとする課題】
【０００６】
いわゆる線順次駆動では、デューティーｄｔと極性反転するライン数との関係は、表示ライン数をＬ、デューティーｄｔ＝１／Ｌとすると、Ｌが奇数であり、Ｌとの公約数がないように極性反転ライン数は素数であることが望ましい。同時選択駆動法についても、例えば特許文献１に、サブグループ数が奇数であることが望ましいことが開示されている。
【０００７】
しかしながら、４ライン同時選択駆動法では、１フレームが４フィールドに分割され、フィールド毎に走査されるため、１フレームで４回の走査が行われる。従って、特許文献１に開示されているように４ライン同時選択駆動法でｎライン反転駆動を行う場合、１フレームにおけるサブグループ数が偶数になってしまう。そのため、バイアス電位のずれがあると実効電圧の差が生じ、濃淡の縞模様が見えてしまい、画質が劣化する場合があるという問題がある。
【０００８】
本発明は、以上のような技術的課題に鑑みてなされたものである。本発明の幾つかの態様によれば、複数ラインを同時選択する同時選択駆動法でｎライン反転駆動により液晶パネルを駆動する場合にバイアス電位のずれがあっても画質の劣化を抑える液晶駆動装置、液晶装置、電子機器、及び液晶駆動方法等を提供することができる。
【課題を解決するための手段】
【０００９】
（１）本発明の第１の態様は、液晶パネルを駆動する液晶駆動装置が、Ｓ（Ｓは２以上の自然数）ライン同時選択駆動法により前記液晶パネルを駆動する駆動部と、前記駆動部による前記液晶パネルの駆動信号をｎ（ｎは自然数）ライン毎に極性反転制御を行う極性反転制御部とを含み、Ｗ（Ｗは自然数）フレーム内の１又は複数のタイミングで、前記駆動信号の極性反転期間をＰ（Ｐは自然数）水平走査期間だけ増加又は減少させる。
【００１０】
本態様においては、複数ラインを同時選択する同時選択駆動法でｎライン反転駆動により液晶パネルを駆動する場合に、Ｗフレーム内の１又は複数のタイミングで、前記駆動信号の極性反転期間をＰ水平走査期間だけ増加又は減少させる。これにより、例えば１フレーム内の全フィールドと各フィールドにおいて画素の印加電圧について正極性の期間と負極性の期間とを一致させることができるようになる。この結果、バイアス電位のずれや駆動波形の歪みのバランスに起因することなく、コモン電極に印加される実効電圧の差が生じず、液晶パネルにおける濃淡の縞模様の発生を抑え、表示品質を向上させることができるようになる。しかも、デューティー比が大きくなることなくコントラストの低下を抑えながら、表示品質を向上させることが可能となる。
【００１１】
（２）本発明の第２の態様に係る液晶駆動装置では、第１の態様において、前記極性反転制御部は、ｎライン反転駆動により極性を反転させるライン数をカウントする極性反転ライン数カウンターを含み、前記極性反転ライン数カウンターは、Ｗフレーム内の１又は複数のタイミングで、カウント値をＰだけ増加又は減少させる。
【００１２】
本態様によれば、簡素な構成により、Ｗフレーム内の１又は複数のタイミングで、カウント値をＰだけ増加又は減少させる液晶駆動装置を提供することができるようになる。これにより、簡素な構成で、バイアス電位のずれ等に起因することなく、コモン電極に印加される実効電圧の差が生じず、液晶パネルにおける濃淡の縞模様の発生を抑え、表示品質を向上させる液晶駆動装置を提供することができるようになる。
【００１３】
（３）本発明の第３の態様に係る液晶駆動装置では、第１の態様又は第２の態様において、Ｐは、奇数である。
【００１４】
本態様によれば、前後のフィールド間で極性をずらしながら極性反転制御の効果を得ることができるようになる。
【００１５】
（４）本発明の第４の態様に係る液晶駆動装置では、第１の態様乃至第３の態様のいずれかにおいて、Ｐは、１である。
【００１６】
本態様によれば、非常に簡素な制御で、前後のフィールド間で極性をずらしながら極性反転制御を行うことができようになる。
【００１７】
（５）本発明の第５の態様は、液晶装置が、第１の態様乃至第４の態様のいずれか記載の液晶駆動装置と、前記液晶駆動装置によって駆動される前記液晶パネルとを含む。
【００１８】
本態様によれば、複数ラインを同時選択する同時選択駆動法でｎライン反転駆動により液晶パネルを駆動する場合にバイアス電位のずれがあっても画質の劣化を抑える液晶装置を提供することができるようになる。
【００１９】
（６）本発明の第６の態様は、電子機器が、第１の態様乃至第４の態様のいずれか記載の液晶駆動装置を含む。
【００２０】
本態様によれば、複数ラインを同時選択する同時選択駆動法でｎライン反転駆動により液晶パネルを駆動する場合にバイアス電位のずれがあっても画質の劣化を抑える液晶駆動装置を備えた電子機器を提供することができるようになる。
【００２１】
（７）本発明の第７の態様は、電子機器が、第５の態様記載の液晶装置を含む。
【００２２】
本態様によれば、複数ラインを同時選択する同時選択駆動法でｎライン反転駆動により液晶パネルを駆動する場合にバイアス電位のずれがあっても画質の劣化を抑える液晶装置を備えた電子機器を提供することができるようになる。
【００２３】
（８）本発明の第８の態様は、Ｓ（Ｓは２以上の自然数）ライン同時選択駆動法により液晶パネルを駆動する液晶駆動方法が、前記液晶パネルの駆動信号をｎ（ｎは自然数）ライン毎に極性反転制御を行う極性反転制御ステップと、前記極性反転制御ステップにおいて極性反転制御された駆動信号を用いて前記液晶パネルを駆動する駆動ステップとを含み、前記極性反転制御ステップは、Ｗ（Ｗは自然数）フレーム内の１又は複数のタイミングで、前記駆動信号の極性反転期間をＰ（Ｐは自然数）水平走査期間だけ増加又は減少させる。
【００２４】
本態様によれば、例えば１フレーム内の全フィールドと各フィールドにおいて画素の印加電圧について正極性の期間と負極性の期間とを一致させることができるようになる。この結果、バイアス電位のずれや駆動波形の歪みのバランスに起因することなく、コモン電極に印加される実効電圧の差が生じず、液晶パネルにおける濃淡の縞模様の発生を抑え、表示品質を向上させることができるようになる。しかも、デューティー比が大きくなることなくコントラストの低下を抑えながら、表示品質を向上させることが可能となる。
【００２５】
（９）本発明の第９の態様に係る液晶駆動方法では、第８態様において、Ｐは、奇数である。
【００２６】
本態様によれば、前後のフィールド間で極性をずらしながら極性反転制御の効果を得ることができるようになる。
【００２７】
（１０）本発明の第１０の態様に係る液晶駆動方法では、第８の態様又は第９の態様において、Ｐは、１である。
【００２８】
本態様によれば、非常に簡素な制御で、前後のフィールド間で極性をずらしながら極性反転制御を行うことができようになる。
【図面の簡単な説明】
【００２９】
【図１】本発明の一実施形態に係る液晶装置の構成例のブロック図。
【図２】４ライン同時選択のＭＬＳ駆動法により液晶パネルを駆動する場合の７レベルの電圧の関係を示す図。
【図３】４ライン同時選択のＭＬＳ駆動法における液晶パネルの画素の印加電圧の極性の一例を示す図。
【図４】４ライン同時選択のＭＬＳ駆動法における液晶パネルのコモン電極の選択電圧の説明図。
【図５】４ライン同時選択のＭＬＳ駆動法における画素の印加電圧の極性の一例を示す図。
【図６】図５における画素の全オン時の印加電圧の説明図。
【図７】４ライン同時選択のＭＬＳ駆動法における７２ラインの液晶パネルの画素の印加電圧の極性の一例を示す図。
【図８】本実施形態における液晶駆動方法のフロー図の一例を示す。
【図９】本実施形態において４ライン同時選択のＭＬＳ駆動法における液晶パネルのコモン電極に接続される画素の印加電圧の極性の一例を示す図。
【図１０】本実施形態において４ライン同時選択のＭＬＳ駆動法における液晶パネルのコモン電極に接続される画素の印加電圧の極性の一例を示す図。
【図１１】本実施形態における４ライン同時選択のＭＬＳ駆動法における画素の印加電圧の極性の一例を示す図。
【図１２】図１１における画素の全オン時の印加電圧の説明図。
【図１３】本実施形態における液晶駆動装置の構成例のブロック図。
【図１４】本実施形態におけるコモンアドレス及びラインアドレスの説明図。
【図１５】図１３の極性反転制御回路の構成例のブロック図。
【図１６】フィールド数カウンターの動作例のフロー図。
【図１７】コモンアドレスカウンターの動作例のフロー図。
【図１８】ラインアドレスカウンターの動作例のフロー図。
【図１９】ＶＳＹＮＣ０生成回路の動作例のフロー図
【図２０】ｎライン反転数カウンターの動作例のフロー図。
【図２１】極性レジスターの動作例のフロー図。
【図２２】極性反転制御回路の動作例のタイミング図。
【図２３】本実施形態における液晶駆動装置の駆動タイミングの一例を示す図。
【図２４】図２４（Ａ）、図２４（Ｂ）は本実施形態が適用された電子機器の構成を示す斜視図。
【発明を実施するための形態】
【００３０】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００３１】
〔液晶装置〕
図１に、本発明の一実施形態に係る液晶装置の構成例のブロック図を示す。図１は、液晶装置が液晶駆動装置を備える構成例を表すが、液晶駆動装置が液晶装置の外部に備えられていてもよい。
【００３２】
電気光学装置としての液晶装置１０は、液晶パネル（広義には、表示パネル、電気光学パネル）２０と、ホストプロセッサー３０と、電源回路４０とを備えている。
【００３３】
液晶パネル２０は、パッシブ型の液晶表示パネルであり、一対の透明なガラス基板の間に、透明電極で形成され互いに交差するように配置された複数のコモン電極、複数のセグメント電極、配向膜及び液晶等を封入して形成される。液晶パネル２０は、画素形成領域２２を有し、画素形成領域２２には、第１の方向に配設されたコモン電極と、第１の方向と交差する第２の方向に配設されたセグメント電極との交差位置に対応して画素が形成される。図１では、複数のコモン電極ＣＯＭ０〜ＣＯＭＱ（Ｑは自然数）のコモン電極ＣＯＭｊ（０≦ｊ≦Ｑ、ｊは整数）と複数のセグメント電極ＳＥＧ０〜ＳＥＧＲ（Ｒは自然数）のセグメント電極ＳＥＧｋ（０≦ｋ≦Ｒ、ｋは整数）とを図示している。コモン電極ＣＯＭｊ及びセグメント電極ＳＥＧｋの交差位置に対応して画素Ｐｊｋが形成される。この液晶パネル２０を構成するガラス基板には、液晶駆動装置１００がＣＯＧ（Chip On Glass）実装される。
【００３４】
液晶駆動装置１００は、コモン電極に所与の選択電圧を供給するための複数のコモン電極出力端子と、セグメント電極に画像データに対応した駆動電圧を供給するための複数のセグメント電極出力端子とを有する。複数のコモン電極出力端子の各々は、対応するコモン電極に電気的に接続され、複数のセグメント電極出力端子の各々は、対応するセグメント電極に電気的に接続される。液晶駆動装置１００は、液晶パネル２０の画素形成領域２２に形成されたコモン電極ＣＯＭ０〜ＣＯＭＱ及びセグメント電極ＳＥＧ０〜ＳＥＧＲをＭＬＳ（Multi Line Selection）駆動法（同時選択駆動法）により駆動する。即ち、液晶駆動装置１００は、複数のコモン電極を同時選択し、１画面を表示するのに必要な期間としての１フレーム（１フレーム期間）を分割した複数のフィールド（フィールド期間）で、複数回に亘って駆動する。液晶駆動装置１００は、フィールド毎に、同時選択した複数のコモン電極を選択パターン（走査パターン）に基づいて駆動すると共に、該選択パターン及び画像データに基づく所与のＭＬＳ演算結果に対応した駆動電圧を複数のセグメント電極に印加する。
【００３５】
ホストプロセッサー３０は、内蔵するメモリー又は図示しないメモリーに記憶されたプログラムを読み込んで、該プログラムに対応した処理を実行することで、液晶駆動装置１００の駆動制御を行う。このため、ホストプロセッサー３０は、液晶駆動装置１００が内蔵する設定レジスターに設定値を設定することで、液晶駆動装置１００の動作を制御することができる。また、ホストプロセッサー３０は、液晶駆動装置１００に、液晶パネル２０に表示させる画像に対応した画像データを供給する。図１において、ホストプロセッサー３０は、液晶パネル２０を構成するガラス基板上に実装されていてもよい。
【００３６】
電源回路４０は、ホストプロセッサー３０及び液晶駆動装置１００の各々に、動作電源電圧及び液晶パネル２０の駆動電源電圧、或いはこれらの電圧を生成するための基準電圧を供給する。図１において、電源回路４０は、液晶パネル２０を構成するガラス基板上に実装されていたり、液晶駆動装置１００に内蔵されていたりしてもよい。
【００３７】
液晶駆動装置１００によって行われるＭＬＳ駆動法は、単純な駆動法と比較して、コモン電極が選択される期間の間隔を狭めることができ、画素の透過率の低下を抑えると共に、平均の透過率を向上させることができる。また、複数のコモン電極を同時に選択することで、コモン電極に印加する駆動電圧（選択電圧）を低くすることができる。このようなＭＬＳ駆動法においては、各セグメント電極の駆動電圧は、画像データと同時選択されるコモン電極の選択パターンとにより決まる。例えば４ライン同時選択のＭＬＳ駆動法では、１フレーム内に４フィールドを設け、各フィールドにおいて、画像データ及び選択パターンに応じて決定される駆動電圧を用いて各セグメント電極が駆動される。複数のフィールドを設けているため、非フィールドにおける透過率の低下が少なくなり、液晶パネル２０における平均の透過率を向上させ、液晶パネルのコントラストを向上させることができる。
【００３８】
以下で説明する本実施形態では、４ラインのコモン電極を同時に選択するＭＬＳ駆動法を採用するものとする。この場合、１フレーム内に４回のフィールドを設けることができ、液晶パネル２０のコントラストをより一層向上させることができる。この４ライン同時選択のＭＬＳ駆動法では、７レベルの電圧が用いられる。なお、本実施形態は、ＭＬＳ駆動法における同時選択ライン数に限定されるものではない。
【００３９】
図２に、４ライン同時選択のＭＬＳ駆動法により液晶パネル２０を駆動する場合の７レベルのバイアス電圧の関係を示す。
【００４０】
電圧Ｖ３、ＭＶ３は、コモン電極の選択電圧である。電圧ＶＣは、コモン電極の非選択電圧であり、セグメント電極の駆動電圧である。電圧Ｖ２、Ｖ１、ＭＶ１、ＭＶ２は、セグメント電極の駆動電圧である。そして、交差するコモン電極及びセグメント電極の電圧差に応じて、画素の透過率が変化する。
【００４１】
ここで、電圧Ｖ３とセンター電圧ＶＣとの電圧差をｖ３、電圧Ｖ２とセンター電圧ＶＣとの電圧差をｖ２、電圧Ｖ１とセンター電圧ＶＣとの電圧差をｖ１とする。このとき、センター電圧ＶＣと電圧ＭＶ３との電圧差はｖ３、センター電圧ＶＣと電圧ＭＶ２との電圧差はｖ２、センター電圧ＶＣと電圧ＭＶ１との電圧差はｖ１である。ここで、電圧Ｖ２と電圧Ｖ１との電圧差（＝電圧ＭＶ１と電圧ＭＶ２との電圧差）が、電圧Ｖ１とセンター電圧ＶＣとの電圧差（＝センター電圧ＶＣと電圧ＭＶ１との電圧差）と等しい。
【００４２】
このような７レベルのバイアス電圧のうち、電圧ＭＶ３の電位が最も低く、本実施形態では、電圧ＭＶ３として接地電圧ＶＳＳが採用される。
【００４３】
液晶駆動装置１００は、図２に示す電圧を用いて、ＭＬＳ駆動法によりコモン電極及びセグメント電極を駆動する。このとき、液晶駆動装置１００は、ｎ（ｎは１以上の整数）本のコモン電極を走査する毎に極性を反転させるｎライン極性反転制御を行うことで、液晶の劣化を防止し、画質の向上を図る。
【００４４】
ところが、ＭＬＳ駆動法においてｎライン反転駆動を行う場合、次のような問題がある。以下では、説明の便宜上、１３２ラインの液晶パネル２０を駆動する例について説明する。
【００４５】
図３に、４ライン同時選択のＭＬＳ駆動法における液晶パネル２０の画素の印加電圧の極性の一例を示す。図３は、コモン電極毎に、ｎライン反転駆動においてｎが２０（＝５ブロック）のときの画素の印加電圧の極性の一例を表す。
【００４６】
図３では、液晶駆動装置１００の内部信号である極性反転信号ＦＲが２０ライン（＝５ブロック）毎に反転することで、極性反転信号ＦＲにより規定される画素の印加電圧の極性が反転し、極性反転周期は５フレームとなる。ここで、コモン電極ＣＯＭ０〜ＣＯＭ３に着目すると、５フレームの間の全フィールドにおいて極性反転信号ＦＲがＬレベルの期間が「１０」、極性反転信号ＦＲがＨレベルの期間が「１０」となる（Ｌ：Ｈ＝１０：１０）。ところが、１フレームを分割した第１フィールド〜第４フィールドの各フィールドにおける極性反転信号ＦＲがＬレベルであるブロック数とＨレベルであるブロック数とが異なる。例えば第１フィールドにおいてＬ：Ｈ＝３：２、第２フィールドにおいてＬ：Ｈ＝２：３、第３フィールドにおいてＬ：Ｈ＝３：２、第４フィールドにおいてＬ：Ｈ＝２：３となる。
【００４７】
同様に、コモン電極ＣＯＭ４〜ＣＯＭ７に着目すると、５フレームの間の全フィールドにおいて極性反転信号ＦＲがＬレベルの期間が「１０」、極性反転信号ＦＲがＨレベルの期間が「１０」となる。一方、例えば第１フィールドにおいてＬ：Ｈ＝２：３、第２フィールドにおいてＬ：Ｈ＝３：２、第３フィールドにおいてＬ：Ｈ＝２：３、第４フィールドにおいてＬ：Ｈ＝３：２となる。
【００４８】
ここで、ＭＬＳ駆動法においてｎライン反転駆動を行う場合の問題点を把握するため、４ライン同時選択のＭＬＳ駆動法において全オン時の画素の印加電圧について着目する。
【００４９】
図４に、４ライン同時選択のＭＬＳ駆動法における液晶パネル２０のコモン電極ＣＯＭｐ（０≦ｐ≦Ｑ、ｐは整数）〜ＣＯＭｐ＋３の選択電圧の説明図を示す。図４は、極性反転信号ＦＲにより規定される極性及びフィールドに応じて、コモン電極ＣＯＭｐ〜ＣＯＭｐ＋３に印加される選択電圧を表す。
【００５０】
極性反転信号ＦＲがＬレベルのとき、液晶駆動装置１００は、駆動対象の画素の印加電圧が例えば正極性となるように、対応するコモン電極に選択電圧を供給し、且つ、対応するセグメント電極に駆動電圧を供給する。また、極性反転信号ＦＲがＨレベルのとき、液晶駆動装置１００は、駆動対象の画素の印加電圧が例えば負極性となるように、対応するコモン電極に選択電圧を供給し、且つ、対応するセグメント電極に駆動電圧を供給する。このとき、ＭＬＳ駆動法では、同時選択されるコモン電極の各フィールドにおける走査パターンが決まる。４ライン同時選択のＭＬＳ駆動法では、コモン電極ＣＯＭｐ〜ＣＯＭｐ＋３には、フィールド毎に、極性に応じて、図４に示すように選択電圧Ｖ３、ＭＶ３が印加される。
【００５１】
図５に、４ライン同時選択のＭＬＳ駆動法における画素の印加電圧の極性の一例を示す。図５は、コモン電極ＣＯＭ０〜ＣＯＭ７の各コモン電極に接続される画素について示すが、他のコモン電極に接続される画素についても同様である。なお、図５において、極性反転信号ＦＲがＬレベルのときにコモン電極の選択電圧として電圧ＭＶ３が印加される画素と、極性反転信号ＦＲがＨレベルのときにコモン電極の選択電圧として電圧Ｖ３が印加される画素については、丸で囲んで表記している。
【００５２】
全オン時のセグメント電極の駆動電圧は、極性反転信号ＦＲがＬレベルのとき電圧ＭＶ１となり、極性反転信号ＦＲがＨレベルのとき電圧Ｖ１となる。そのため、例えば第１フレームのコモン電極ＣＯＭ０に接続される画素は、第１フィールド（ＦＲ＝Ｌ）では、コモン電極ＣＯＭ０に選択電圧Ｖ３、セグメント電極にＭＶ１が印加され、当該画素の印加電圧は、（Ｖ３−ＭＶ１）となる。また、第３フィールド（ＦＲ＝Ｈ）では、コモン電極ＣＯＭ０に選択電圧ＭＶ３、セグメント電極にＶ１が印加され、当該画素の印加電圧は、（ＭＶ３−Ｖ１）となる。
【００５３】
同様に、各コモン電極に接続される画素の全オン時における印加電圧は、次のようになる。
【００５４】
図６に、図５における画素の全オン時の印加電圧の説明図を示す。図６は、コモン電極ＣＯＭ０〜ＣＯＭ１５についてのみ図示しているが、他のコモン電極も同様である。なお、図６では、極性反転周期の間の全フィールドにおける印加電圧を表している。
【００５５】
全オン時の画素の印加電圧は、極性反転信号ＦＲにより規定される極性によって、コモン電極の選択電圧とセグメント電極の駆動電圧とにより定まる。即ち、コモン電極の選択電圧Ｖ３，ＭＶ３と、セグメント電極の駆動電圧Ｖ１，ＭＶ１との組み合わせにより、印加電圧は４種類となる。印加電圧（Ｖ３−ＭＶ１）は、図５においてＦＲ＝Ｌで、丸で囲んでいない箇所に相当する。印加電圧（Ｖ３−Ｖ１）は、図５においてＦＲ＝Ｈで、丸で囲んでいる箇所に相当する。印加電圧（ＭＶ３−Ｖ１）は、図５においてＦＲ＝Ｈで、丸で囲んでいない箇所に相当する。印加電圧（ＭＶ３−ＭＶ１）は、図５においてＦＲ＝Ｌで、丸で囲んでいる箇所に相当する。
【００５６】
図６の場合、極性反転周期の間の全フィールドにおける印加電圧は、輝度パターンＡ，Ｂの２パターンに分類される。印加電圧は画素の輝度に対応するため、バイアス電位のずれや駆動波形の歪みのバランスに起因して、全オンにもかかわらずブロック単位（＝４ライン単位）の輝度差が発生し、液晶パネル２０に濃淡の縞模様が発生するという問題がある。
【００５７】
なお、図３〜図６では、１３２ラインの液晶パネル２０を駆動する例を説明したが、７２ラインの液晶パネルについても同様である。
【００５８】
図７に、４ライン同時選択のＭＬＳ駆動法における７２ラインの液晶パネルの画素の印加電圧の極性の一例を示す。図７は、コモン電極毎に、ｎライン反転駆動においてｎが２０（５ブロック）のときの画素の印加電圧の極性の一例を表す。
【００５９】
図７では、極性反転信号ＦＲが２０ライン（＝５ブロック）毎に反転することで、極性反転信号ＦＲにより規定される画素の印加電圧の極性が反転し、極性反転周期は５フレームとなる。この場合、同時選択されるコモン電極について、５フレームの間の全フィールド合計の極性反転信号ＦＲがＬレベルの期間と、極性反転信号ＦＲがＨレベルの期間とが一致しない。その上、デューティーと極性反転するライン数とによって、各フィールドにおける極性反転信号ＦＲがＬレベルの期間とＨレベルの期間とが一致しない場合もある。このように、ＭＬＳ駆動法においてｎライン反転駆動を行う場合、バイアス電位のずれや駆動波形の歪みのバランスに起因して、全オンにもかかわらずブロック単位の輝度差が発生する。
【００６０】
以上のように、液晶パネル２０のライン数にかかわらず、ＭＬＳ駆動法においてｎライン反転駆動を行う場合、液晶パネル２０に濃淡の縞模様が発生するという問題がある。
【００６１】
〔液晶駆動装置〕
本実施形態では、Ｓ（Ｓは２以上の自然数）ラインを同時選択するＭＬＳ駆動法でｎライン反転駆動を行う場合、Ｗ（Ｗは自然数）フレーム内の少なくとも１垂直走査期間内の１又は複数のタイミングで、極性反転期間をＰ（Ｐは自然数）水平走査期間だけ増加又は減少させる。以下では、１フレーム内の１又は複数のタイミングで極性反転期間をＰ水平走査期間だけ増加又は減少させる例を説明するが、極性反転期間を増加又は減少させる１又は複数のタイミングが、１フレーム内に設定されるものに限定されるものではない。１フレーム内で極性反転期間を増加又は減少させる場合、例えば、４ラインを同時選択するＭＬＳ駆動法では、１フレーム中に４回走査するが、そのうち少なくとも１回の走査中に、極性反転期間をＰ水平走査期間だけ増加又は減少させる。
【００６２】
図８に、本実施形態における液晶駆動方法のフロー図の一例を示す。
【００６３】
本実施形態における液晶駆動装置１００は、液晶パネル２０の駆動信号をｎ（ｎは自然数）ライン毎に極性反転制御を行う（ステップＳＴ１、極性反転制御ステップ）。続いて、液晶駆動装置１００は、ステップＳＴ１において極性反転制御された駆動信号を用いて液晶パネル２０を駆動する（ステップＳＴ２、駆動ステップ）。ステップＳＴ１において、１フレーム内の１又は複数のタイミングで、駆動信号の極性反転期間をＰ水平走査期間だけ増加又は減少させる。ここで、１フレーム内に設定されるタイミングの各々は、フレームの開始タイミングを基準に所定の時間を経過したタイミングに固定されていればよい。また、１フレーム内に設定されるタイミング数や、増加又は減少させる水平走査期間数であるＰは、液晶パネルのデューティーと極性反転ライン数とに応じて設定される。
【００６４】
また、増加又は減少させる水平走査期間数であるＰは、奇数であることが望ましい。こうすることで、前後のフィールド間で極性をずらしながら極性反転制御の効果を得ることができる。更に、Ｐは、１であることが望ましい。こうすることで、非常に簡素な制御で、前後のフィールド間で極性をずらしながら極性反転制御を行うことができる。
【００６５】
以上のように、本実施形態によれば、バイアス電位のずれや駆動波形の歪みのバランスに起因することなく、コモン電極に印加される実効電圧の差が生じず、液晶パネル２０における濃淡の縞模様の発生を抑え、表示品質を向上させることができるようになる。しかも、デューティー比が大きくなることなくコントラストの低下を抑えながら、表示品質を向上させることが可能となる。
【００６６】
以下では、１フレーム内に極性反転期間を増加又は減少させるタイミングとして、フレームの切り替えタイミングであるものとし、Ｐは１であるものとして説明する。
【００６７】
図９及び図１０に、本実施形態において４ライン同時選択のＭＬＳ駆動法における液晶パネル２０の画素の印加電圧の極性の一例を示す。図９及び図１０は、コモン電極毎に、ｎが２０（５ブロック）のときの画素の印加電圧の極性の一例を表す。
【００６８】
図９及び図１０では、極性反転信号ＦＲが２０ライン（＝５ブロック）毎に反転することで、極性反転信号ＦＲにより規定される画素の印加電圧の極性が反転し、第６フレーム以降で第１フレームと逆の極性となり、極性反転周期は１０フレームとなる。ここで、コモン電極ＣＯＭ０〜ＣＯＭ３に着目すると、１０フレームの間の全フィールドにおいて極性反転信号ＦＲがＬレベルの期間が「２０」、極性反転信号ＦＲがＨレベルの期間が「２０」となる（Ｌ：Ｈ＝２０：２０）。各フィールドにおける極性反転信号ＦＲがＬレベルであるブロック数とＨレベルであるブロック数とについても一致する。第１フィールド〜第４フィールドの各フィールドにおいてＬ：Ｈ＝５：５となる。コモン電極ＣＯＭ４〜ＣＯＭ７に着目しても、コモン電極ＣＯＭ０〜ＣＯＭ３と同様である。
【００６９】
図１１に、本実施形態における４ライン同時選択のＭＬＳ駆動法における画素の印加電圧の極性の一例を示す。図１１は、コモン電極ＣＯＭ０〜ＣＯＭ７の各コモン電極に接続される画素について示すが、他のコモン電極に接続される画素についても同様である。なお、図１１において、極性反転信号ＦＲがＬレベルのときにコモン電極の選択電圧として電圧ＭＶ３が印加される画素と、極性反転信号ＦＲがＨレベルのときにコモン電極の選択電圧として電圧Ｖ３が印加される画素については、丸で囲んで表記している。
【００７０】
全オン時のセグメント電極の駆動電圧は、極性反転信号ＦＲがＬレベルのとき電圧ＭＶ１となり、極性反転信号ＦＲがＨレベルのとき電圧Ｖ１となる。各画素の印加電圧は、図５と同様に定められる。その結果、各コモン電極に接続される画素の全オン時における印加電圧は、次のようになる。
【００７１】
図１２に、図１１における画素の全オン時の印加電圧の説明図を示す。図１２は、コモン電極ＣＯＭ０〜ＣＯＭ１５についてのみ図示しているが、他のコモン電極も同様である。なお、図１２では、極性反転周期の間の全フィールドにおける印加電圧を表している。
【００７２】
全オン時の画素の印加電圧は、極性反転信号ＦＲにより規定される極性によって、コモン電極の選択電圧とセグメント電極の駆動電圧とにより定まる。即ち、コモン電極の選択電圧Ｖ３，ＭＶ３と、セグメント電極の駆動電圧Ｖ１，ＭＶ１との組み合わせにより、印加電圧は４種類となる。印加電圧（Ｖ３−ＭＶ１），（Ｖ３−Ｖ１），（ＭＶ３−Ｖ１），（ＭＶ３−ＭＶ１）の各々は、図１１において図５と同様の箇所に相当する。図１２に示すように、本実施形態によれば、極性反転周期の間の全フィールドにおける印加電圧は、輝度パターンＣの１パターンに統一される。そのため、バイアス電位のずれや駆動波形の歪みのバランスがあったとしても、ブロック単位（＝４ライン単位）の輝度差が発生することなく、液晶パネル２０における濃淡の縞模様の発生を抑えることができるようになる。
【００７３】
以上のような液晶駆動方法を実現する液晶駆動装置１００は、次のような構成を有することができる。
【００７４】
図１３に、本実施形態における液晶駆動装置１００の構成例のブロック図を示す。図１３では、画素形成領域２２をあわせて図示している。
図１４に、本実施形態におけるコモンアドレス及びラインアドレスの説明図を示す。
【００７５】
液晶駆動装置１００は、ホストプロセッサー用インターフェイス１１０と、発振回路１１２と、制御回路１１４と、コモンアドレスデコーダー１１６と、コモン出力演算回路１１８と、コモンドライバー１２０と、ページアドレス制御回路１２２とを備えている。また、液晶駆動装置１００は、カラムアドレス制御回路１２４と、ラインアドレス制御回路１２６と、画像データＲＡＭ１２８と、画像データラッチ回路１３０と、ＭＬＳデコーダー１３２と、セグメントドライバー１３４とを備えている。画像データＲＡＭ１２８は、フレームメモリー（画像データメモリー）として機能する。制御回路１１４は、極性反転制御回路（極性反転制御部）２００を有する。本実施形態における駆動部は、コモンドライバー１２０及びセグメントドライバー１３４を含んで構成され、コモンアドレスデコーダー１１６、コモン出力演算回路１１８、及びＭＬＳデコーダー１３２の少なくとも１つを更に含んでもよい。
【００７６】
ホストプロセッサー用インターフェイス１１０は、液晶駆動装置１００が有する入力端子又は入出力端子を介してホストプロセッサー３０から入力される入力信号の入力インターフェイス処理を行う。またホストプロセッサー用インターフェイス１１０は、液晶駆動装置１００が有する出力端子又は入出力端子を介してホストプロセッサー３０に出力する出力信号の出力インターフェイス処理を行う。
【００７７】
発振回路１１２は、液晶駆動装置１００が生成する表示タイミング信号の基準となる発振クロックＯＳＣを発振動作により生成する。例えば、制御回路１１４は、発振クロックＯＳＣに基づいて、複数種類の表示タイミング信号を生成する。この制御回路１１４は、コモンアドレスデコーダー１１６等の液晶駆動装置１００の各部を制御する制御信号を生成する。極性反転制御回路２００は、コモンドライバー１２０及びセグメントドライバー１３４等が液晶パネル２０（具体的には画素形成領域２２）に供給する駆動信号の極性反転制御を行う。駆動信号としては、コモンドライバー１２０がコモン電極に出力する選択電圧、セグメントドライバー１３４がセグメント電極に出力する駆動電圧がある。
【００７８】
コモンアドレスデコーダー１１６は、制御回路１１４において生成されＭＬＳ駆動において同時選択される複数のコモン電極に対応したコモンアドレスをデコードする。このデコード結果はコモンドライバー１２０に出力される。コモンアドレスは、同時選択される複数のコモン電極毎に割り当てられ、ＭＬＳ駆動を行う際にコモンアドレスを指定することで、対応するコモン電極が選択される。
【００７９】
コモン出力演算回路１１８は、制御回路１１４において生成される極性反転信号ＦＲ、ＭＬＳ駆動パターンを識別するフィールド識別信号Ｆ１，Ｆ２に基づいて、コモン出力の出力レベルを制御する。フィールド識別信号Ｆ１，Ｆ２により、１フレーム内のフィールドが規定され、フィールド信号ＦＩＥＬＤが「１」になるとフィールド識別信号Ｆ１，Ｆ２が更新される。
【００８０】
コモンドライバー１２０は、コモンアドレスデコーダー１１６のデコード結果に基づいて、コモン出力の選択又は非選択を制御し、選択されたコモン出力として、コモン出力演算回路１１８で生成された出力レベルを出力する。
【００８１】
ページアドレス制御回路１２２は、ホストプロセッサー用インターフェイス１１０を介してホストプロセッサー３０から入力される画像データを画像データＲＡＭ１２８にアクセスするためのページアドレスを制御する。ページアドレスは、ホストプロセッサー３０から入力される画像データのバス幅をアクセス単位として定義される。
【００８２】
カラムアドレス制御回路１２４は、ホストプロセッサー用インターフェイス１１０を介してホストプロセッサー３０から入力される画像データを画像データＲＡＭ１２８にアクセスするためのカラムアドレスを制御する。カラムアドレスは、画素形成領域２２のセグメント電極に対応して定義される。
【００８３】
ラインアドレス制御回路１２６は、画像データＲＡＭ１２８に保存された画像データのうち読み出しラインを特定するラインアドレスを制御する。ラインアドレスは、画素形成領域２２のコモン電極に対応して定義される。本実施形態におけるコモンアドレス及びラインアドレスは、図１４に示すように定義される。例えば、制御回路１１４がコモンアドレス「０」を出力したとき、コモン電極ＣＯＭ０〜ＣＯＭ３が同時選択される。このとき、画像データＲＡＭ１２８に記憶される画像データのうち、ラインアドレス０〜３に対応する画像データが読み出される。同様に、制御回路１１４がコモンアドレス「１」を出力したとき、コモン電極ＣＯＭ４〜ＣＯＭ７が同時選択される。このとき、画像データＲＡＭ１２８に記憶される画像データのうち、ラインアドレス４〜７に対応する画像データが読み出される。このように、コモンアドレスにより、同時選択される４ラインのコモン電極を１ブロックとするブロック単位で指定でき、ラインアドレスも一意に決まる。
【００８４】
図１４において、画像データＲＡＭ１２８は、画素形成領域２２の画素の並びに対応して、各画素の画像データが記憶される記憶領域を有する。各記憶領域は、ページアドレス及びカラムアドレスにより特定される。これにより、画像データＲＡＭ１２８には、ページアドレス及びカラムアドレスにより特定される領域に画像データが書き込まれる。一方、画像データＲＡＭ１２８からは１ライン単位で画像データが読み出される。
【００８５】
画像データラッチ回路１３０は、画像データＲＡＭ１２８から読み出された画像データを４ライン分ラッチする。
【００８６】
ＭＬＳデコーダー１３２は、画像データと、制御回路１１４において生成されＭＬＳ駆動を行うための表示タイミング信号とをデコードする。より具体的には、ＭＬＳデコーダー１３２は、画像データラッチ回路１３０によってラッチされた画像データと、制御回路１１４によって生成される極性反転信号ＦＲ、フィールド識別信号Ｆ１、Ｆ２とに基づいて、セグメント出力の出力レベルを制御する。このＭＬＳデコーダー１３２のデコード結果は、セグメントドライバー１３４に出力される。
【００８７】
セグメントドライバー１３４は、ＭＬＳデコーダー１３２のデコード結果に基づいて、セグメント電極に、ＭＬＳデコーダー１３２でデコードされた出力レベルを出力する。なお、セグメントドライバー１３４には、制御回路１１４において生成された表示オフ信号ＸＤＯＦにより、ＭＬＳデコーダー１３２のデコード結果にかかわらずセグメント電極に所与の出力レベルを出力して表示をオフにする制御を行うことができる。本実施形態では、表示オフ信号ＸＤＯＦにより、コモン電極と同電位となるような出力レベルをセグメント電極に出力することで、表示をオフする。
【００８８】
ＭＬＳ駆動法において１フレーム期間内に設けられる各フィールドは、液晶駆動装置１００においてフィールド識別信号Ｆ１、Ｆ２により特定される。液晶駆動装置１００は、２ビットのフィールド識別信号Ｆ１、Ｆ２で表される４状態に対応したフィールド毎に、各コモン電極に電圧Ｖ３又は電圧ＭＶ３を出力する。各フィールドにおける各コモン電極への出力パターンは、選択パターンとして直交関数系により定義される。液晶駆動装置１００は、予め決められた直交関数系により定義される選択パターンに従って、３種類の駆動電圧Ｖ３、ＶＣ、ＭＶ３のいずれかを適宜選択し、同時選択されるコモン電極の各々に印加するようになっている。
【００８９】
各フィールドは、同時選択される複数のコモン電極毎に割り当てられる複数のサブ選択期間に分割される。第１フィールドを分割した複数のサブ選択期間のうち、同時選択されるコモン電極ＣＯＭ０〜ＣＯＭ３が選択されるサブ選択期間では、次のような動作が行われる。液晶駆動装置１００は、電圧（Ｖ２，Ｖ１，ＶＣ，ＭＶ１，ＭＶ２）のいずれかを選択し、セグメント電極ＳＥＧ０に選択した電圧を印加する。このとき、液晶駆動装置１００は、セグメント電極ＳＥＧ０と同時選択されるコモン電極ＣＯＭ０〜ＣＯＭ３の各々との交差位置に対応した各ドットの表示パターンと選択パターンとに応じて電圧を選択する。同様に、他のセグメント電極に対して、選択した電圧を印加する。
【００９０】
次に、第１フィールドを分割した複数のサブ選択期間のうち、次に同時選択されるコモン電極が選択されるサブ選択期間において、各セグメント電極に同様に選択した電圧を印加する。こうしてすべてのコモン電極について、以上の手順を繰り返すと、第１フィールドにおける動作が終了する。同様に第２フィールド以降についても、すべてのコモン電極について上記の手順を繰り返すと１つのフレームが終わり、これにより１つの画面の表示が行われる。
【００９１】
このような構成の液晶駆動装置１００では、コモンドライバー１２０は、同時選択される複数のコモン電極を１ブロックとするブロック単位に複数フィールドに亘って各フィールドに対応した選択パターンでコモン電極を走査する。また、セグメントドライバー１３４は、同時選択される複数のコモン電極に対応した画像データ及び上記の選択パターンに対応した駆動電圧でセグメント電極を駆動する。この駆動電圧は、画像データ及び表示タイミング信号に基づいてデコードされた結果により得られる。
【００９２】
図１５に、図１３の極性反転制御回路２００の構成例のブロック図を示す。なお、以下では、１フレーム内のフレーム切り替えタイミングにおいて、ｎライン反転駆動により極性を反転させるライン数のカウント値を１だけ強制的に進めることにより、カウント値を１だけ増加させる例を説明する。この場合、極性反転期間は、１水平走査期間分だけ短縮される。
【００９３】
極性反転制御回路２００は、フィールド数カウンター２１０と、コモンアドレスカウンター２２０と、ラインアドレスカウンター２３０とを備えている。また、極性反転制御回路２００は、ＶＳＹＮＣ０生成回路２４０と、ｎライン反転数レジスター２５０と、ｎライン反転数カウンター（極性反転ライン数カウンター）２６０と、極性レジスター２７０とを備えている。
【００９４】
フィールド数カウンター２１０は、１フレームを分割することにより得られるフィールド数をカウントする。コモンアドレスカウンター２２０は、同時選択される４ラインのコモン電極を特定するコモンアドレスに対応するコモンアドレスカウント値をカウントし、コモンアドレスカウント値に対応したコモンアドレスを出力する。また、ラインアドレスカウンター２３０は、同時選択される各コモン電極に対応したラインアドレスに応じたラインアドレスカウント値をカウントし、ラインアドレスカウント値に対応したラインアドレスを出力する。
【００９５】
ＶＳＹＮＣ０生成回路２４０は、ｎライン反転数カウンター２６０のカウント値を強制的に変更するためのフラグ信号ＶＳＹＮＣ０を生成する。ｎライン反転数レジスター２５０には、ホストプロセッサー３０により、極性反転させるライン数ｎに対応した設定情報が設定される。即ち、ｎライン反転駆動において極性反転させるライン数ｎが可変に構成される。ｎライン反転数カウンター２６０は、ｎライン反転駆動により極性を反転させるライン数をカウントする。極性レジスター２７０は、極性反転制御回路２００を構成する各部により生成されるレジスター値を保持し、該レジスター値に対応した極性反転信号ＦＲを出力する。
【００９６】
以下、極性反転制御回路２００を構成する各部の動作例について説明する。なお、説明の便宜上、ライン数が「１６」、ｎが「１２」（＝３ブロック）とする。
【００９７】
図１６に、フィールド数カウンター２１０の動作例のフロー図を示す。
フィールド数カウンター２１０には、垂直同期信号ＶＳＹＮＣと、フィールド信号ＦＩＥＬＤとが入力される。フィールドの開始タイミングで、フィールド信号ＦＩＥＬＤが「１」に設定される。図１６では、フィールド数カウンター２１０のカウント値をフィールド数カウント値と表記している。
【００９８】
垂直同期信号ＶＳＹＮＣが「１」になると（ステップＳＴ１０：Ｙ）、フィールド数カウンター２１０は、カウント値を「０」に初期化し（ステップＳＴ１２）、ステップＳＴ１０に戻る（リターン）。垂直同期信号ＶＳＹＮＣが「０」で（ステップＳＴ１０：Ｎ）、フィールド信号ＦＩＥＬＤが「１」になると（ステップＳＴ１４：Ｙ）、フィールド数カウンター２１０は、カウント値をインクリメントする（ステップＳＴ１６）。その後、ステップＳＴ１０に戻る（リターン）。
【００９９】
ステップＳＴ１４においてフィールド信号ＦＩＥＬＤが「０」のとき（ステップＳＴ１４：Ｎ）、フィールド数カウンター２１０は、カウント値を更新することなく（ステップＳＴ１８）、ステップＳＴ１０に戻る（リターン）。
【０１００】
以上のように、フィールド数カウンター２１０は、垂直走査期間毎に初期化されるカウント値をフィールド信号ＦＩＥＬＤに同期してインクリメントすることができる。フィールド数カウンター２１０のカウント値「０」が第１フィールドに対応し、カウント値「１」が第２フィールドに対応し、カウント値「２」が第３フィールドに対応し、カウント値「３」が第４フィールドに対応する。
【０１０１】
図１７に、コモンアドレスカウンター２２０の動作例のフロー図を示す。
コモンアドレスカウンター２２０には、フィールド数カウンター２１０のカウント値と、垂直同期信号ＶＳＹＮＣと、水平同期信号ＨＳＹＮＣと、フィールド信号ＦＩＥＬＤとが入力される。
【０１０２】
垂直同期信号ＶＳＹＮＣが「１」又はフィールド信号ＦＩＥＬＤが「１」のとき（ステップＳＴ２０：Ｙ）、コモンアドレスカウンター２２０は、コモンアドレスをスタートアドレス「０」に設定し（ステップＳＴ２２）、ステップＳＴ２０に戻る（リターン）。垂直同期信号ＶＳＹＮＣが「１」又はフィールド信号ＦＩＥＬＤが「１」ではないとき（ステップＳＴ２０：Ｎ）、コモンアドレスカウンター２２０は、水平同期信号ＨＳＹＮＣに基づきコモンアドレスに対応したカウント値の更新判定を行う（ステップＳＴ２４）。
【０１０３】
水平同期信号ＨＳＹＮＣが「１」のとき（ステップＳＴ２４：Ｙ）、コモンアドレスカウンター２２０は、コモンアドレスをインクリメントする（ステップＳＴ２６）。その後、ステップＳＴ２０に戻る（リターン）。具体的には、コモンアドレスカウンター２２０は、コモンアドレスに対応するカウント値をインクリメントする。
【０１０４】
ステップＳＴ２４において水平同期信号ＨＳＹＮＣが「１」ではないとき（ステップＳＴ２４：Ｎ）、コモンアドレスカウンター２２０は、コモンアドレスに対応したカウント値を更新することなく（ステップＳＴ２８）、ステップＳＴ２０に戻る（リターン）。
【０１０５】
以上のようにコモンアドレスカウンター２２０は、コモンアドレスに対応したカウント値を更新することができる。このようなコモンアドレスを受けたコモンドライバー１２０は、コモンアドレスに対応したコモン電極を走査する。
【０１０６】
図１８に、ラインアドレスカウンター２３０の動作例のフロー図を示す。
ラインアドレスカウンター２３０には、フィールド数カウンター２１０のカウント値と、垂直同期信号ＶＳＹＮＣと、水平同期信号ＨＳＹＮＣと、フィールド信号ＦＩＥＬＤとが入力される。
【０１０７】
垂直同期信号ＶＳＹＮＣが「１」又はフィールド信号ＦＩＥＬＤが「１」のとき（ステップＳＴ３０：Ｙ）、ラインアドレスカウンター２３０は、ラインアドレスをスタートアドレス「０」に設定し（ステップＳＴ３２）、ステップＳＴ３０に戻る（リターン）。垂直同期信号ＶＳＹＮＣが「１」又はフィールド信号ＦＩＥＬＤが「１」ではないとき（ステップＳＴ３０：Ｎ）、ラインアドレスカウンター２３０は、水平同期信号ＨＳＹＮＣに基づきラインアドレスに対応したカウント値の更新判定を行う（ステップＳＴ３４）。
【０１０８】
水平同期信号ＨＳＹＮＣが「１」のとき（ステップＳＴ３４：Ｙ）、ラインアドレスカウンター２３０は、ラインアドレスカウンター２３０は、ラインアドレスをインクリメントする（ステップＳＴ３６）。その後、ステップＳＴ３０に戻る（リターン）。具体的には、ラインアドレスカウンター２３０は、ラインアドレスに対応するカウント値をインクリメントする。
【０１０９】
ステップＳＴ３４において水平同期信号ＨＳＹＮＣが「１」ではないとき（ステップＳＴ３４：Ｎ）、ラインアドレスに対応したカウント値を更新することなく（ステップＳＴ３８）、ステップＳＴ３０に戻る（リターン）。
【０１１０】
以上のようにラインアドレスカウンター２３０は、ラインアドレスに対応したカウント値を更新することができる。このようなラインアドレスを用いて読み出された画像データに基づいてセグメントドライバー１３４が、画素形成領域２２のセグメント電極を駆動する。
【０１１１】
図１９に、ＶＳＹＮＣ０生成回路２４０の動作例のフロー図を示す。
ＶＳＹＮＣ０生成回路２４０には、フィールド数カウンター２１０のカウント値と、ラインアドレスカウンター２３０のカウント値とが入力される。図１９では、フィールド数カウンター２１０のカウント値をフィールド数カウント値と表記し、ラインアドレスカウンター２３０のカウント値をラインアドレスカウント値と表記している。
【０１１２】
フィールド数カウンター２１０のカウント値が「３」、且つ、ラインアドレスカウンター２３０のカウント値が「１３」のとき（ステップＳＴ４０：Ｙ）、ＶＳＹＮＣ０生成回路２４０は、フラグ信号ＶＳＹＮＣ０を「１」に設定する（ステップＳＴ４２）。その後、ステップＳＴ４０に戻る。ステップＳＴ４０において判定されるラインアドレスカウンター２３０のカウント値は、フレームの切り替えタイミングに対応したカウント値として設定したものであり、該カウント値は「１３」でなくてもよく、１フレーム内の所定のタイミングであればよい。
【０１１３】
一方、フィールド数カウンター２１０のカウント値が「３」で、ラインアドレスカウンター２３０のカウント値が「１３」ではないとき（ステップＳＴ４０：Ｎ）、ＶＳＹＮＣ０生成回路２４０は、フラグ信号ＶＳＹＮＣ０を「０」に設定する（ステップＳＴ４２）。その後、ステップＳＴ４０に戻る。
【０１１４】
以上のようにＶＳＹＮＣ０生成回路２４０は、第４フィールドでラインアドレスカウンター２３０のカウント値が「１３」となるフレームの切り替えタイミングにおいて、フラグ信号ＶＳＹＮＣ０を「１」に設定することができる。
【０１１５】
図２０に、ｎライン反転数カウンター２６０の動作例のフロー図を示す。
ｎライン反転数カウンター２６０には、水平同期信号ＨＳＹＮＣ、ｎライン反転数レジスター２５０のレジスター値、フラグ信号ＶＳＹＮＣ０が入力される。図２０では、ｎライン反転数カウンター２６０のカウント値をｎライン反転数カウント値と表記している。
【０１１６】
水平同期信号ＨＳＹＮＣが「１」又はフラグ信号ＶＳＹＮＣ０が「１」のとき（ステップＳＴ５０：Ｙ）、ｎライン反転数カウンター２６０は、カウント値が（極性反転ライン数／４−１）であるか否かを判定する（ステップＳＴ５２）。ステップＳＴ５２における極性反転ライン数は、ｎライン反転数レジスター２５０のレジスター値により設定される。カウント値が（極性反転ライン数／４−１）であると判定されたとき（ステップＳＴ５２：Ｙ）、ｎライン反転数カウンター２６０は、カウント値を「０」に初期化し（ステップＳＴ５４）、ステップＳＴ５０に戻る（リターン）。カウント値が（極性反転ライン数／４−１）ではないと判定されたとき（ステップＳＴ５２：Ｎ）、ｎライン反転数カウンター２６０は、カウント値をインクリメントし（ステップＳＴ５６）、ステップＳＴ５０に戻る（リターン）。
【０１１７】
ステップＳＴ５０において、水平同期信号ＨＳＹＮＣが「１」又はフラグ信号ＶＳＹＮＣ０が「１」ではないとき（ステップＳＴ５０：Ｎ）、ｎライン反転数カウンター２６０は、カウント値を更新しない（ステップＳＴ５８）。その後、ステップＳＴ５０に戻る（リターン）。
【０１１８】
以上のように、ｎライン反転数カウンター２６０は、ｎライン反転数レジスター２５０に設定された極性反転ライン数毎に、ｎライン反転駆動のためのライン数をカウントすることができる。このとき、フラグ信号ＶＳＹＮＣ０が「１」のとき、ｎライン反転駆動のためのライン数をカウントするカウント値を強制的にインクリメントすることができる。
【０１１９】
図２１に、極性レジスター２７０の動作例のフロー図を示す。
極性レジスター２７０には、水平同期信号ＨＳＹＮＣ、ｎライン反転数カウンター２６０のカウント値が入力される。図２１では、ｎライン反転数カウンター２６０のカウント値をｎライン反転数カウント値、極性レジスター２７０のレジスター値を極性レジスター値と表記している。
【０１２０】
水平同期信号ＨＳＹＮＣが「１」のとき（ステップＳＴ６０：Ｙ）、極性レジスター２７０は、ｎライン反転数カウンター２６０のカウント値が（極性反転ライン数／４−１）であるか否かを判定する（ステップＳＴ６２）。このカウント値が（極性反転ライン数／４−１）であると判定されたとき（ステップＳＴ６２：Ｙ）、極性レジスター２７０は、極性レジスター２７０のレジスター値を反転後の論理レベルの極性反転信号ＦＲを出力する（ステップＳＴ６４）。ステップＳＴ６４では、極性レジスター２７０のレジスター値を反転させた値が、再度、極性レジスター２６に設定される。その後、ステップＳＴ６０に戻る（リターン）。
【０１２１】
カウント値が（極性反転ライン数／４−１）ではないと判定されたとき（ステップＳＴ６２：Ｎ）、極性レジスター２７０は、極性レジスター２７０のレジスター値に対応した論理レベルの極性反転信号ＦＲを出力する（ステップＳＴ６６）。或いは、ステップＳＴ６０において水平同期信号ＨＳＹＮＣが「１」ではないとき（ステップＳＴ６０：Ｎ）、極性レジスター２７０は、極性レジスター２７０のレジスター値に対応した論理レベルの極性反転信号ＦＲを出力する（ステップＳＴ６６）。その後、ステップＳＴ６０に戻る（リターン）。
【０１２２】
以上のように、極性レジスター２７０は、極性反転させるライン数ｎに応じて、極性反転信号ＦＲを出力することができる。
【０１２３】
図２２に、極性反転制御回路２００の動作例のタイミング図を示す。図２２は、ライン数が「１６」、ｎが「１２」（＝３ブロック）のときのタイミング例を表している。
【０１２４】
垂直同期信号ＶＳＹＮＣが「１」になると、１垂直走査期間を分割した各フィールドが開始される。各フィールドでは、水平同期信号ＨＳＹＮＣが「１」となるたびに１水平走査期間が開始される。コモンアドレスカウンター２２０のカウント値は、１水平走査期間毎に更新される。ここで、１フレームの最終フィールドである第４フィールドになると、コモンアドレスカウンター２２０のカウント値「３」で、ラインアドレスカウンター２３０のカウント値が「１３」になると、フラグ信号ＶＳＹＮＣ０が「１」に設定される。これにより、ｎライン反転数カウンター２６０のカウント値が強制的にインクリメントされ、これ以降、極性反転制御が継続される。ｎライン反転数カウンター２６０のカウント値を強制的にインクリメントすることで、極性反転期間（極性反転信号ＦＲがＨレベルの期間又はＬレベルの期間）がインクリメントされた分だけ短縮される。
【０１２５】
以上のように、極性反転制御回路２００は、ライン数ｎに応じて論理レベルの反転が繰り返される極性反転信号ＦＲを出力する一方で、フレームの切り替えタイミングにおいて１水平走査期間分を短縮することができる。
【０１２６】
図２３に、本実施形態における液晶駆動装置１００の駆動タイミングの一例を示す。図２３では、図２２と同様の条件におけるコモン電極の波形及びセグメント電極の波形を表す。セグメント電極の波形は、全点灯オン時の波形である。
【０１２７】
図２３に示すように、４ラインのコモン電極が同時選択され、選択パターンに応じた選択電圧が供給される。第１フレームから第２のフレームのフレーム切り替えタイミングにおいて、極性反転期間が短縮される（図２３のＴ１）。この後、コモン電極及びセグメント電極は、４ライン同時選択のＭＬＳ駆動法でｎライン反転駆動が引き続き行われる。これにより、デューティー比を変化させずに、バイアス電位のずれや駆動波形の歪みのバランスに起因することなく、コモン電極に印加される実効電圧の差が生じず、液晶パネル２０における濃淡の縞模様の発生を抑えることができるようになる。
【０１２８】
〔電子機器〕
上記の実施形態における液晶駆動装置又は該液晶駆動装置が適用された液晶パネル２０や液晶装置１０は、次のような電子機器に適用できる。
【０１２９】
図２４（Ａ）、図２４（Ｂ）に、本実施形態が適用された電子機器の構成の斜視図を示す。図２４（Ａ）は、モバイル型のパーソナルコンピューターの構成の斜視図を表す。図２４（Ｂ）は、携帯電話機の構成の斜視図を表す。
【０１３０】
図２４（Ａ）に示すパーソナルコンピューター８００は、本体部８１０と、表示部８２０とを含む。表示部８２０として、上記の実施形態における液晶パネル２０又は液晶装置１０が適用される。本体部８１０は、ホストプロセッサーを含み、この本体部８１０にはキーボード８３０が設けられる。即ち、パーソナルコンピューター８００は、少なくとも上記の実施形態における液晶駆動装置１００を含んで構成される。キーボード８３０を介した操作情報がホストプロセッサーによって解析され、その操作情報に応じて表示部８２０に画像が表示される。
【０１３１】
図２４（Ｂ）に示す携帯電話機９００は、本体部９１０と、表示部９２０とを含む。表示部９２０として、上記の実施形態における液晶パネル２０又は液晶装置１０が適用される。本体部９１０は、ホストプロセッサーを含み、この本体部９１０にはキーボード９３０が設けられる。即ち、携帯電話機９００は、上記の実施形態における液晶駆動装置１００を含んで構成される。キーボード９３０を介した操作情報がホストプロセッサーによって解析され、その操作情報に応じて表示部９２０に画像が表示される。
【０１３２】
なお、上記の実施形態又が適用された電子機器として、図２４（Ａ）、図２４（Ｂ）に示すものに限定されるものではない。例えば、情報携帯端末（ＰＤＡ：Personal Digital Assistants）、デジタルスチルカメラ、テレビ、ビデオカメラ、カーナビゲーション装置、ページャー、電子手帳、電子ペーパー、電卓、ワードプロセッサー、ワークステーション、テレビ電話、ＰＯＳ（Point of sale system）端末、プリンター、スキャナー、複写機、ビデオプレーヤー、タッチパネルを備えた機器等が挙げられる。
【０１３３】
以上、本発明に係る液晶駆動装置、液晶装置、電子機器、及び液晶駆動方法等を上記の実施形態に基づいて説明したが、本発明は上記の実施形態に限定されるものではない。例えば、その要旨を逸脱しない範囲において種々の態様において実施することが可能であり、次のような変形も可能である。
【０１３４】
（１）上記の実施形態では、液晶駆動装置がＭＬＳ駆動法により駆動する例を説明したが、本発明はこれに限定されるものではない。
【０１３５】
（２）上記の実施形態では、４ラインを同時選択するＭＬＳ駆動法を例に説明したが、同時選択ライン数に本発明が限定されるものではない。また、上記の実施形態において説明した液晶パネルの表示ライン数、ｎライン反転駆動において極性反転させるライン数ｎ、又はコモン電極の選択パターンに、本発明が限定されるものではない。
【０１３６】
（３）上記の実施形態において、極性反転制御回路２００が図１５の構成を有するものとして説明したが、本発明は極性反転制御回路２００の構成に限定されるものではない。例えばＶＳＹＮＣ０生成回路は、レジスター等によっても実現することができ、この場合には、判定条件のラインアドレスカウンター２３０のカウント値「１２」とすればよい。本実施形態のように組み合わせ回路で実現することで、回路規模を小さくすることができる。
【０１３７】
（４）上記の実施形態では、ｎライン反転数カウンター２６０が、カウント値を「１」だけインクリメントするものとして説明したが、本発明はこれに限定されるものではない。例えば、インクリメント値Ｐをレジスターに設定するようにし、このレジスターのインクリメント値だけ、ｎライン反転数カウンター２６０のカウント値を更新（加算又は減算）するようにしてもよい。
【０１３８】
（５）上記の実施形態では、フラグ信号ＶＳＹＮＣ０により１フレーム内に１度だけ、ｎライン反転数カウンター２６０のカウント値を強制的に更新するものとして説明したが、本発明はこれに限定されるものではない。例えば複数のフラグ信号を１フレーム内の予め決められたタイミングで「１」に設定できるようにし、複数のフラグ信号のいずれかが「１」に設定されているときにｎライン反転数カウンター２６０のカウント値を強制的に更新するようにしてもよい。こうすることで、１フレーム内の複数のタイミングで、極性反転期間を所定数の水平走査期間だけ増加又は減少させることができるようになる。
【０１３９】
（６）上記の実施形態では、フラグ信号ＶＳＹＮＣ０により１フレーム内に１度だけ、ｎライン反転数カウンター２６０のカウント値を強制的に更新するものとして説明したが、本発明はこれに限定されるものではない。例えばＶＳＹＮＣ０生成回路が、複数フレーム内に１又は複数回だけフラグ信号ＶＳＹＮＣ０を「１」に設定するようにしてもよい。この場合、複数フレーム内の１又は複数のタイミングで、極性反転期間を所定数の水平走査期間だけ増加又は減少させることができるようになる。
【０１４０】
（７）上記の実施形態において、液晶駆動装置、液晶装置、電子機器、及び液晶駆動方法等として説明したが、本発明はこれに限定されるものではなく、例えば本発明に係る液晶駆動方法により実現される液晶パネルの画像表示方法等であってもよい。
【符号の説明】
【０１４１】
１０…液晶装置、  ２０…液晶パネル、  ２２…画素形成領域、
３０…ホストプロセッサー、  ４０…電源回路、  １００…液晶駆動装置、
１１０…ホストプロセッサー用インターフェイス、  １１２…発振回路、
１１４…制御回路、  １１６…コモンアドレスデコーダー、
１１８…コモン出力演算回路、  １２０…コモンドライバー、
１２２…ページアドレス制御回路、  １２４…カラムアドレス制御回路、
１２６…ラインアドレス制御回路、  １２８…画像データＲＡＭ、
１３０…画像データラッチ回路、  １３２…ＭＬＳデコーダー、
１３４…セグメントドライバー、  ２００…極性反転制御回路、
２１０…フィールド数カウンター、  ２２０…コモンアドレスカウンター、
２３０…ラインアドレスカウンター、  ２４０…ＶＳＹＮＣ０生成回路、
２５０…ｎライン反転数レジスター、  ２６０…ｎライン反転数カウンター、
２７０…極性レジスター、  ８００…パーソナルコンピューター、
８１０，９１０…本体部、  ８２０，９２０…表示部、  ８３０，９３０…キーボード、
９００…携帯電話機、  ＣＯＭ０〜ＣＯＭＱ…コモン電極、
ＦＩＥＬＤ…フィールド信号、  ＦＲ…極性反転信号、  ＨＳＹＮＣ…水平同期信号、
ＳＥＧ０〜ＳＥＧＲ…セグメント電極、  ＶＳＹＮＣ…垂直同期信号、
ＶＳＹＮＣ０…フラグ信号
【図１】
0005929058.tif 000002
【図２】
0005929058.tif 000003
【図３】
0005929058.tif 000004
【図４】
0005929058.tif 000005
【図５】
0005929058.tif 000006
【図６】
0005929058.tif 000007
【図７】
0005929058.tif 000008
【図８】
0005929058.tif 000009
【図９】
0005929058.tif 000010
【図１０】
0005929058.tif 000011
【図１１】
0005929058.tif 000012
【図１２】
0005929058.tif 000013
【図１３】
0005929058.tif 000014
【図１４】
0005929058.tif 000015
【図１５】
0005929058.tif 000016
【図１６】
0005929058.tif 000017
【図１７】
0005929058.tif 000018
【図１８】
0005929058.tif 000019
【図１９】
0005929058.tif 000020
【図２０】
0005929058.tif 000021
【図２１】
0005929058.tif 000022
【図２２】
0005929058.tif 000023
【図２３】
0005929058.tif 000024
【図２４】
0005929058.tif 000025